(57)【特許請求の範囲】
【請求項１】
記録媒体に記録された動画像データを読出す読出し手段と、
前記動画像データの通常再生を指示する指示手段と、
前記指示手段により前記動画像データの通常再生が指示されたことに応じて、前記読出し手段により読出された前記動画像データの通常再生画像と、前記動画像データのインデックス画像とを、表示装置の同一の画面上に表示させる制御手段と
を有することを特徴とする再生装置。
【請求項２】
前記制御手段は、前記画面上に表示されている前記動画像データの通常再生画像の時間軸上での再生位置に応じて、前記インデックス画像を切換えて表示させることを特徴とする請求項１記載の再生装置。
【請求項３】
前記動画像データは、フレーム内符号化とフレーム間符号化とにより符号化された動画像データであり、
前記インデックス画像は、フレーム内符号化された画像であることを特徴とする請求項１または２記載の再生装置。
【請求項４】
前記制御手段は、前記動画像データの通常再生画像表示中における、前記インデックス画像１枚あたりの表示時間を変更可能であることを特徴とする請求項１から３のいずれか１項記載の再生装置。
【請求項５】
前記制御手段は、前記動画像データの通常再生中において、複数の前記インデックス画像の全てを表示するか、複数の前記インデックス画像の一部を間引いて表示するかを選択できることを特徴とする請求項１から４のいずれか１項記載の再生装置。
【請求項６】
前記制御手段は、前記インデックス画像とすべき画像データの前記記録媒体上でのアドレスを記録した管理データに基づいて、前記インデックス画像を前記記録媒体より読出して表示することを特徴とする請求項１から５のいずれか１項記載の再生装置。
【請求項７】
画像の再生を行う再生装置の制御方法であって、
記録媒体に記録された動画像データを読出す読出しステップと、
前記動画像データの通常再生を指示する指示ステップと、
前記指示ステップにより前記動画像データの通常再生が指示されたことに応じて、前記読出しステップにより読出された前記動画像データの通常再生画像と、前記動画像データのインデックス画像とを、表示装置の同一の画面上に表示させる制御ステップと
を有することを特徴とする再生装置の制御方法。
【請求項８】
前記制御ステップでは、前記画面上に表示されている前記動画像データの通常再生画像の時間軸上での再生位置に応じて、前記インデックス画像を切換えて表示させることを特徴とする請求項７記載の再生装置の制御方法。
【請求項９】
前記動画像データは、フレーム内符号化とフレーム間符号化とにより符号化された動画像データであり、
前記インデックス画像は、フレーム内符号化された画像であることを特徴とする請求項７または８記載の再生装置の制御方法。
【請求項１０】
画像の再生を行う再生装置の制御方法をコンピュータに実行させるためのプログラムを記憶するコンピュータ読み取り可能な記憶媒体であって、
記録媒体に記録された動画像データを読出す読出しステップと、
前記動画像データの通常再生を指示する指示ステップと、
前記指示ステップにより前記動画像データの通常再生が指示されたことに応じて、前記読出しステップにより読出された前記動画像データの通常再生画像と、前記動画像データのインデックス画像とを、表示装置の同一の画面上に表示させる制御ステップと
をコンピュータに実行させるためのプログラムを記憶することを特徴とするコンピュータ読み取り可能な記憶媒体。
【請求項１１】
前記制御ステップでは、前記画面上に表示されている前記動画像データの通常再生画像の時間軸上での再生位置に応じて、前記インデックス画像を切換えて表示させることを特徴とする請求項１０記載のコンピュータ読み取り可能な記憶媒体。
【請求項１２】
前記動画像データは、フレーム内符号化とフレーム間符号化とにより符号化された動画像データであり、
前記インデックス画像は、フレーム内符号化された画像であることを特徴とする請求項１０または１１記載のコンピュータ読み取り可能な記憶媒体。
【請求項１３】
記録媒体に記録された動画像データを読出す読出し手段と、
前記動画像データの高速再生を指示する指示手段と、
前記指示手段により前記動画像データの高速再生が指示されたことに応じて、前記読出し手段により読出された前記動画像データの高速再生画像と、前記動画像データのインデックス画像とを、表示装置の同一の画面上に表示させる制御手段と
を有することを特徴とする再生装置。
【請求項１４】
前記制御手段は、前記画面上に表示されている前記動画像データの高速再生画像の時間軸上での再生位置に応じて、前記インデックス画像を切換えて表示させることを特徴とする請求項１３記載の再生装置。
【請求項１５】
前記動画像データは、フレーム内符号化とフレーム間符号化とにより符号化された動画像データであり、
前記インデックス画像は、フレーム内符号化された画像であることを特徴とする請求項１３または１４記載の再生装置。
【請求項１６】
前記制御手段は、前記動画像データの高速再生画像表示中における、前記インデックス画像１枚あたりの表示時間を変更可能であることを特徴とする請求項１３から１５のいずれか１項記載の再生装置。
【請求項１７】
前記制御手段は、前記動画像データの高速再生中において、複数の前記インデックス画像の全てを表示するか、複数の前記インデックス画像の一部を間引いて表示するかを選択できることを特徴とする請求項１３から１６のいずれか１項記載の再生装置。
【請求項１８】
前記制御手段は、前記インデックス画像とすべき画像データの前記記録媒体上でのアドレスを記録した管理データに基づいて、前記インデックス画像を前記記録媒体より読出して表示することを特徴とする請求項１３から１７のいずれか１項記載の再生装置。
【請求項１９】
画像の再生を行う再生装置の制御方法であって、
記録媒体に記録された動画像データを読出す読出しステップと、
前記動画像データの高速再生を指示する指示ステップと、
前記指示ステップにより前記動画像データの高速再生が指示されたことに応じて、前記読出しステップにより読出された前記動画像データの高速再生画像と、前記動画像データのインデックス画像とを、表示装置の同一の画面上に表示させる制御ステップと
を有することを特徴とする再生装置の制御方法。
【請求項２０】
前記制御ステップでは、前記画面上に表示されている前記動画像データの高速再生画像の時間軸上での再生位置に応じて、前記インデックス画像を切換えて表示させることを特徴とする請求項１９記載の再生装置の制御方法。
【請求項２１】
前記動画像データは、フレーム内符号化とフレーム間符号化とにより符号化された動画像データであり、
前記インデックス画像は、フレーム内符号化された画像であることを特徴とする請求項１９または２０記載の再生装置の制御方法。
【請求項２２】
画像の再生を行う再生装置の制御方法をコンピュータに実行させるためのプログラムを記憶するコンピュータ読み取り可能な記憶媒体であって、
記録媒体に記録された動画像データを読出す読出しステップと、
前記動画像データの高速再生を指示する指示ステップと、
前記指示ステップにより前記動画像データの高速再生が指示されたことに応じて、前記読出しステップにより読出された前記動画像データの高速再生画像と、前記動画像データのインデックス画像とを、表示装置の同一の画面上に表示させる制御ステップと
をコンピュータに実行させるためのプログラムを記憶することを特徴とするコンピュータ読み取り可能な記憶媒体。
【請求項２３】
前記制御ステップでは、前記画面上に表示されている前記動画像データの高速再生画像の時間軸上での再生位置に応じて、前記インデックス画像を切換えて表示させることを特徴とする請求項２２記載のコンピュータ読み取り可能な記憶媒体。
【請求項２４】
前記動画像データは、フレーム内符号化とフレーム間符号化とにより符号化された動画像データであり、
前記インデックス画像は、フレーム内符号化された画像であることを特徴とする請求項２２または２３記載のコンピュータ読み取り可能な記憶媒体。
【発明の詳細な説明】
【０００１】
【発明の属する技術分野】
本発明は、画像の再生を行う再生装置及びその制御方法、並びに、当該制御方法をコンピュータに実行させるためのプログラムを記憶するコンピュータ読み取り可能な記憶媒体に関するものである。
【０００２】
【従来の技術】
従来のディスク記録再生装置では、ＭＰＥＧ圧縮された画像を再生する際には、前後のフレーム画像との双方向の予測が必要であるため、一旦、画像メモリにデータを蓄えた上で処理をしていた。また、特殊再生する際には、数ＧＯＰの連続データを画像メモリヘ入力し、数秒間の再生画像を細切れに再生していた。
【０００３】
【発明が解決しようとする課題】
しかしながら、従来のディスク記録再生装置では、ＭＰＥＧ圧縮されたデータを高速再生等の特殊再生する場合、画像メモリの容量制限や復号処理時間等の制約によって、使用者が時間的に連続した画像を確認することができなかったため、現在、どんな内容のシーンが再生されているかを一目で判別することは容易ではなかった。
【０００４】
【課題を解決するための手段】
上記の目的を達成するために、本発明に係る再生装置は、記録媒体に記録された動画像データを読出す読出し手段と、前記動画像データの通常再生を指示する指示手段と、前記指示手段により前記動画像データの通常再生が指示されたことに応じて、前記読出し手段により読出された前記動画像データの通常再生画像と、前記動画像データのインデックス画像とを、表示装置の同一の画面上に表示させる制御手段とを有する。
【０００５】
また、本発明に係る再生装置は、記録媒体に記録された動画像データを読出す読出し手段と、前記動画像データの高速再生を指示する指示手段と、前記指示手段により前記動画像データの高速再生が指示されたことに応じて、前記読出し手段により読出された前記動画像データの高速再生画像と、前記動画像データのインデックス画像とを、表示装置の同一の画面上に表示させる制御手段とを有する。
【０００６】
本発明に係る再生装置の制御方法は、画像の再生を行う再生装置の制御方法であって、記録媒体に記録された動画像データを読出す読出しステップと、前記動画像データの通常再生を指示する指示ステップと、前記指示ステップにより前記動画像データの通常再生が指示されたことに応じて、前記読出しステップにより読出された前記動画像データの通常再生画像と、前記動画像データのインデックス画像とを、表示装置の同一の画面上に表示させる制御ステップとを有する。
【０００７】
また、本発明に係る再生装置の制御方法は、画像の再生を行う再生装置の制御方法であって、記録媒体に記録された動画像データを読出す読出しステップと、前記動画像データの高速再生を指示する指示ステップと、前記指示ステップにより前記動画像データの高速再生が指示されたことに応じて、前記読出しステップにより読出された前記動画像データの高速再生画像と、前記動画像データのインデックス画像とを、表示装置の同一の画面上に表示させる制御ステップとを有する。
【０００８】
本発明に係るコンピュータ読み取り可能な記憶媒体は、画像の再生を行う再生装置の制御方法をコンピュータに実行させるためのプログラムを記憶するコンピュータ読み取り可能な記憶媒体であって、記録媒体に記録された動画像データを読出す読出しステップと、前記動画像データの通常再生を指示する指示ステップと、前記指示ステップにより前記動画像データの通常再生が指示されたことに応じて、前記読出しステップにより読出された前記動画像データの通常再生画像と、前記動画像データのインデックス画像とを、表示装置の同一の画面上に表示させる制御ステップとをコンピュータに実行させるためのプログラムを記憶する。
【０００９】
また、本発明に係るコンピュータ読み取り可能な記憶媒体は、画像の再生を行う再生装置の制御方法をコンピュータに実行させるためのプログラムを記憶するコンピュータ読み取り可能な記憶媒体であって、記録媒体に記録された動画像データを読出す読出しステップと、前記動画像データの高速再生を指示する指示ステップと、前記指示ステップにより前記動画像データの高速再生が指示されたことに応じて、前記読出しステップにより読出された前記動画像データの高速再生画像と、前記動画像データのインデックス画像とを、表示装置の同一の画面上に表示させる制御ステップとをコンピュータに実行させるためのプログラムを記憶する。
【００１３】
【発明の実施の形態】
以下、本発明の実施の形態を図面と共に説明する。
図１は本発明の実施の形態によるディスク記録再生装置の再生装置部を示すブロック図である。
図１において、１００はディスク再生装置、１０１は再生処理回路、１０２は再生データメモリ、１０３は可変長符号復号化処理回路、１０４は逆量子化処理回路、１０５は逆ＤＣＴ処理回路、１０６は再生動き補償回路、１０７は出力画メモリ、１０８はモニタ、１０９はＤＣ成分抽出回路、１１０はインデックス画メモリ、１１１は再生コントローラ、１１２は操作キーを示す。
【００１４】
図２は本発明の実施の形態によるディスク記録再生装置の記録装置部を示すブロック図である。
図２において、１５０は画像入力装置、１５１は入力データメモリ、１５２はＤＣＴ処理回路、１５３は量子化処理回路、１５４は記録動き補償回路、１５５は可変長符号化処理回路、１５６は記録データメモリ、１５７は記録処理回路、１５８はディスク記録装置、１５９は記録コントローラ、１６０は操作キーを示す。
【００１５】
次に動作について説明する。
まず、図２のディスク記録再生装置の記録装置側から説明する。このディスク記録再生装置は、ＭＰＥＧ画像の記録再生装置を前提としており、画像入力装置１５０は、デジタル画像データの出力を持つ装置が要求されるが、カメラユニットでも、デジタル画像の出力可能なコンピュータのようなものでも構わない。
【００１６】
画像入力装置１５０から入力された画像は、入力データメモリ１５１に書込まれる。入力データメモリ１５１のデータは、ＤＣＴ処理回路１５２でＤＣＴ処理され、量子化処理回路１５３で量子化が行われる。量子化された画像データは、記録動き補償回路１５４で前後のフレームデータと演算され、予測画像、動きベクトルが出力される。
【００１７】
記録動き補償回路１５４では、フレーム内のデータのみで符号化を行いＩピクチャを生成するイントラ符号化と、フレーム間のデータで符号化を行いＰピクチャ又はＢピクチャを生成するインター符号化の二つの符号化とを交互に行う。
【００１８】
図３は、画像記録ディスク上、又はその前後の画像データバス上でのデータの時系列的な並びと、そのデータのモードを示した図である。この図３に示すように、Ｉピクチャ、Ｂピクチャ、Ｂピクチャ、Ｐピクチャ、Ｂピクチャ…のような順番で、フレームデータが可変長符号化処理回路１５５へ転送される。ここで留意しなければならないのは、Ｐピクチャ、Ｂピクチャは、前後のフレームとの差分や動きベクトルをディスクの記録データとして伝送するのに対して、Ｉピクチャは、フレームのデータ自身を伝送する点である。
【００１９】
また、ディスクからデータ再生する際には、それぞれのフレームのデータがどのようなモードで処理されたかという情報が重要であり、符号化モード、動き補償モード等の情報は、別ルートで可変長符号化処理回路１５５へ送られる。
【００２０】
可変長符号化処理回路１５５で可変長符号化されたデータには、符号化モード、動き補償モード等の情報が付加されデータパッキングされた後、一旦、記録データメモリ１５６に蓄積される。記録処理回路１５７では、記録データメモリ１５６のデータをディスクヘの記録に合った形に並び換え、ＤＡ変換した後、ディスク記録装置１５８ヘデータを伝送し、ディスクヘのデータ記録を行う。
【００２１】
記録コントローラ１５９は、ディスク記録装置１５８で画像データ列を記録する際に、データ列自身をディスクヘ記録するのと同時に、ディスクのＴＯＣへどのデータ列がディスク上でどの記録アドレスを持っているか等の情報を記録する。
【００２２】
本実施の形態の一つの特徴は、ディスクのＴＯＣへのデータの記録方法にあるので、この部分を詳細に説明する。
図６は、ディスクのＴＯＣへ記録するインデックス管理データの一例を示す。記録項目としてはチャプター番号、チャプター開始アドレス、チャプター終了アドレス、チャプター代表画像のアドレス、インデックス画像のアドレス、インデックス画像記録間隔が最小限の構成として必要になる。
【００２３】
「チャプター」とは、記録データのシーンの区切りを示す単位で、一般的に、レーザーディスク等の画像データソフトでは、ソフト製作者の製作意図に従い第何章という形でデータ列を区切るために使用されている。ディスク記録再生装置の場合は、使用者の意図に従い、使用者が録画モードに一度入れる毎に、一つのカットであり、一つのチャプターであるという考え方が望ましい。
そこでチャプター番号は、停止モードから録画モードに移行する毎にインクリメントさせる、又は録画待機モードから録画モードに移行する毎にインクリメントさせる方式で管理する。
【００２４】
「チャプター開始アドレス」は、チャプターが更新される瞬間に流れている画像データ列が記録されているディスク上での記録アドレスを示す。同様に、「チャプター終了アドレス」は、録画モードから停止モードヘ移行した瞬間、又は録画モードから録画待機モードヘ移行した瞬間に流れている画像データ列が記録されているディスク上での記録アドレスを示す。
【００２５】
次に、「インデックス画像のアドレス」について説明する。
「インデックス画像」とは、再生時及び特殊再生時に、そのチャプターがどのような内容であるかを瞬時に使用者に明示するための手段であり、本実施の形態では、後述するように再生画、又は特殊再生画を背景とした画面の中に小画面を形成し、その小画面の中にインデックス画像を出力する。図７に、再生画面の中にインデックス画像を表示した例を示す。
【００２６】
ディスク再生装置に要求されるインデックス画像データの要件は幾つかある。第１の要件は、本実施の形態のように、再生画像と同時にインデックス画像を表示する場合は、インデックス画像を表示処理するために要する時間を極力小さくすることである。第２の要件は、そのチャプターの特徴をよく表現している代表画像を適切にインデックス画像として選択することである。
【００２７】
本実施の形態では、上記第１の要件のために、インデックス画像としてＩピクチャのＤＣ成分のみを選択した。Ｉピクチャは、前述したようにフレーム内処理のみのデータであるため近傍のフレームの画像データと演算せずに使用できる上、ＤＣ成分のみであればＤＣＴの演算処理を周辺のデータとの間でしなくとも使用できるため、非常に高速に画像を取り出すことができる。
【００２８】
また、上記第２の要件のために、インデックス画像として何枚かの画像をディスク上に用意しておき、ディスク再生装置の使用者が自ら判別し易いインデックス画像を選択できるように構成した。図３に示すようなデータの並び順で伝送されてきたデータ列には、インデックス画像として抜き出すのに適しているＩピクチャは、１５フレームに一回程度の割合で伝送されてくる。記録ディスクの容量が豊富であれば、インデックス画像として図３に示すように全てのＩピクチャを選択しても良いが、現実的な選択は、図４に示すような任意の一定時間間隔をおいたＩピクチャをインデックス画像として選択する方法である。
【００２９】
また、この時、インデックス画像を取得する時間間隔は、後段の再生時に必要となるため、この情報も図６に示すようにＴＯＣへ記録する。そして、このインデックス画像の取得する時間間隔切換え制御は、使用者が図２の操作キー１６０により、記録コントローラ１５９に対して意思伝達し、記録コントローラ１５９は、インデックス画像として取り出すＩピクチャとＩピクチャの間の時間間隔を制御しつつ、ディスク記録装置１５８のＴＯＣへ時間間隔情報を書込む。
【００３０】
尚、図３、図４は、チャプター１のデータ列をチャプターの冒頭から模式的に示した図であり、ｉｎｄｅｘ１１はｃｈａｐｔｅｒ１の最初のインデックス画像、ｉｎｄｅｘ１２はｃｈａｐｔｅｒ１の第２のインデックス画像、ｉｎｄｅｘ１３はｃｈａｐｔｅｒ１の第３のインデックス画像…を示す。各インデックス画面のアドレスを記録する時のタイミングは、ｉｎｄｅｘ１１→ｉｎｄｅｘ１２→ｉｎｄｅｘ１３の順番で進行する。
【００３１】
これらのインデックス画像を準備するデータとして、そのインデックス画像データが記録されているディスク上での記録アドレスをディスクのＴＯＣへ書込んでおく。図６に示すように、アドレスは整然と記録し、どのインデックス画像がどのチャプターに属するインデックス画像なのかを判別可能にしておく。
【００３２】
同様に、図６においてｉｎｄｅｘ２１、ｉｎｄｅｘ２２、ｉｄｅｘ２３…は、ｃｈａｐｔｅｒ２に属するインデックス画像のアドレス、ｉｎｄｅｘ３１、ｉｎｄｅｘ３２、ｉｎｄｅｘ３３はｃｈａｐｔｅｒ３に属するインデックス画像のアドレスを示す。記録時のタイミングとしては、ｉｎｄｅｘ２１→ｉｎｄｅｘ２２→ｉｎｄｅｘ２３→ｉｎｄｅｘ２４→ｉｎｄｅｘ３１→ｉｎｄｅｘ３２→ｉｎｄｅｘ３３の順番で進行する。
【００３３】
次に、「チャプター代表画像」について説明する。
図５は、再生時及び特殊再生時に、出力画面としての背景画としてどのようなタイミングで何を出力するか、また、小画面に出力するインデックス画像として何を出力するかを模式的に示したタイミングチャートである。
三本のチャート（Ａ）（Ｂ）（Ｃ）は、時間的に同時に進行する様子を示しており、（Ａ）のチャートが背景画として出力される映像のチャプターを示し、（Ｂ）のチャート、（Ｃ）のチャートは、小画面に出力されるインデックス画像を示す。
【００３４】
小画面へインデックス画像を出力する方法としては二つの方法がある。一つは（Ｂ）のチャートに示すように、一つのチャプターに対して一つのインデックス画像を出力する方法である。本実施の形態の説明の中では、このように出力するインデックス画像を「チャプター代表画像」と記している。もう一つのインデックス画像の出力方法は、上記で説明している「インデックス画像のアドレス」としてディスクのＴＯＣ上に記録されたアドレスの示すＩピクチャを順番に出力する方法で、これを（Ｃ）のチャートに示す。
【００３５】
上記「チャプター代表画像」をインデックス画像として出力する方法は次のような利点がある。一つは高速再生モード時に、各チャプターの時間的な長さが非常に短い場合には、インデックス画像の切り換えが非常に速くなり、使用者が認識しずらくなるのを防ぐことができる点であり、また、使用者が把握しきれないほど多くのインデックス画像を一つのチャプター内に用意しても実使用に絶えないが、印象的なチャプター内の一つの画像を使えば、使用者がチャプターの区別を容易にできる点等である。
【００３６】
一方、上記「インデックス画像のアドレス」としてディスクのＴＯＣ上に記録されたアドレスの示すＩピクチャを全て順番に出力する方法には、チャプター内での画像の変化を細かく観察できるという利点があり、一概にどちらの方法が優れていると判断することはできない。
【００３７】
以上のことから、本実施の形態では、ディスクのＴＯＣ上に上記インデックス画像のアドレスを記録するのと平行して、上記チャプター代表画像のディスク上での記録アドレスをディスクのＴＯＣへ書込むようにしている。
【００３８】
尚、本実施の形態では、チャプター代表画像を選択する方法として、任意の一定時間間隔をおいて記録したインデックス画像のアドレスから一つを選択する方法を選んでいる。この方法であれば、使用者が幾つかのインデックス画像から、自分自身でチャプターの代表として判別し易い画像を選択できる上、チャプター代表画像のためだけにアドレスを記録し直す必要が無いので好都合だからである。
【００３９】
図５の（Ｂ）のチャートでは、チャプター代表画像として各チャプターの先頭のインデックス画像を選択している。これは、使用者は自ら画像を記録しているのであるから、トリガスイッチを押した瞬間の画像が、そのカットの代表的な画像として使用者にとってはふさわしいものである場合が多いからである。
【００４０】
また、本実施の形態での基本的なチャプター代表画像の選択方法は、使用者が記録されたインデックス画像のうちからチャプター代表画像にふさわしいと思われるものを図２の操作キー１６０により選択し、記録コントローラ１５９を通じて指定アドレスをディスク記録装置１５８のＴＯＣへ書込むものである。
【００４１】
また、図５の（Ｂ）のチャートのように、印象的な画像はチャプターの冒頭であることが多いことから、使用者が選択しなくとも記録コントローラ１５９が自動的に各インデックス画像のうちから時間的に一番早いインデックス画像をチャプター代表画像として選択することもできる。
【００４２】
このようなチャプター代表画面の選択を、使用者のスイッチ操作に頼るのか、それとも記録コントローラ１５９に判断させるのかといった選択方法の切換えも、使用者が操作キー１６０によって、記録コントローラ１５９に対して意思伝達し、制御モードとして蓄えるようにすることにより、指示されたモードで記録コントローラ１５９は動作する。
【００４３】
次に、再生動作について図１のディスク記録再生装置の再生装置側を使って説明する。
まず、インデックス画像、チャプター代表画像以外の通常の再生、又は特殊再生する場合の動作について説明する。
ディスク再生装置１００は、再生コントローラ１１１が指定するディスク上の時系列に並べられた画像データのアドレスから画像データを読み出す。読み出された画像データは、再生処理回路１０１でＡＤ変換等の処理がなされた後、再生データメモリ１０２に一旦書込まれ、可変長符号復号化処理回路１０３で可変長符号が復号される。
【００４４】
復号された画像データ列は、逆量子化回路１０４へ送られると共に、各データの符号化モード、動き補償モード等の情報は、再生動き補償回路１０６へ送られ再生動き補償処理に用いられる。逆量子化回路１０４で逆量子化したデータは、逆ＤＣＴ処理回路１０５で逆ＤＣＴ処理され、再生動き補償回路１０６で動き補償処理がなされ、純粋なデジタル画像データとして取り出される。この画像データは、出力画メモリ１０７に一旦書込まれ、ＤＡ変換等の処理がなされた後、モニタ１０８ヘ出力される。ここで説明したのは図５における（Ａ）メイン画像にあたるものである。
【００４５】
次に、記録時にインデックス画像やチャプター代表画像として、予めディスクのＴＯＣへ記録アドレスを書込んでおいたデータの再生方法について説明する。これは図５における（Ｂ）小画面Ａや（Ｃ）小画面Ｂにあたる。
図１において、再生コントローラ１１１は、操作キー１１２を通じて使用者からインデックス画像、又はチャプター代表画像を出力したい要求があった場合は、通常の再生画の出力動作、又は通常の再生画の特殊再生時の出力動作に平行してインデックス画像、又はチャプター代表画像を小画面へ出力する処理を行う。
【００４６】
まず、再生コントローラ１１１は、ディスクのＴＯＣから現在再生しているチャプターの番号を図６のチャプター番号、開始アドレス、終了アドレスから確認する。次に、再生コントローラ１１１は、対応するチャプター番号に属するチャプター代表画像のアドレス又はインデックス画像のアドレスで指定している画像を読み出す。ここで指定されている画像は、記録モードの動作で説明した通り、全てＩピクチャのデータである。
【００４７】
読み出されたＩピクチャの画像は、ディスク再生装置１００から再生処理回路１０１に送られＡＤ変換処理等が施された後、再生データメモリ１０２に一旦書込まれ、可変長符号復号化処理回路１０３で可変長符号が復号され、復号された画像データ列は、逆量子化回路１０４へ送られる。次に、ＤＣ成分抽出回路１０９では、通常８ｘ８ブロックで構成されている係数ブロックのＤＣ成分のみを定期的に取り出し、インデックス画メモリ１１０ヘ書込む。
【００４８】
最後に、再生コントローラ１１１からのメイン画像のどこに小画面を出力するかという出力位置の指示に従い、出力画メモリ１０７のデータの一部をインデックス画メモリ１１０のデータで置き換える。
【００４９】
次に、インデックス画像として出力するための画像の選択方法を図８のフローチャートを用いて説明する。
尚、ここで説明する画像の選択は、電源ＯＮ時にそれぞれ選択が確定していることが望ましいが、電源立ち上げ後の任意のタイミングで設定が変更された場合も、指定動作に直ちに変更されるようにソフトウェアを構成する。また、このフローチャートでのスイッチ切換えは全て使用者が図１の操作キー１１２を通じて再生コントローラ１１１ヘ意思伝達する。
【００５０】
図８において、ステップＳ１１（以下、ステップ略）で、再生画像（メイン画像）の一部にインデックス画像を小画面表示するかを選択する。インデックス小画面表示をしない場合はＳ１２に移り、通常の再生画像のみの出力となる。
【００５１】
インデックス小画面表示をする場合は、Ｓ１３に移り、チャプター代表画像とインデックス画像のどちらを小画面表示させるかをチェックする。チャプター代表画像の表示を使用者が選択している場合はＳ１４ヘ移り、図６のチャプター代表画像の指定アドレスから画像データを読み出す。
【００５２】
使用者がチャプター代表画像の表示を選択していない場合は、Ｓ１６のインデックス画像の出力間隔を選択する処理ヘ移り、記録時に予め記録した全てのインデックス画像を出力するのか、予め記録したインデックス画像を何枚毎に間引いて出力するのかを選択する。
【００５３】
「全てのインデックス画像を出力する」を選択した場合は、図６のインデックス画像のアドレスに指定されている全てのアドレスに対応する画像を出力するが、それぞれのインデックス画像の出力時間間隔としては、予め記録時にＴＯＣへ記録済みのインデックス画像記録間隔（図６参照）で出力する。この場合、メインの画像が通常再生であれば、インデックス画像記録間隔に指定された時間で出力すれば、メインの画像のタイミングとインデックス画像のタイミングとが合致するが、特殊再生時は再生速度が何倍速であるかに合わせてインデックス画像を出力する時間の調整が必要となるため、再生コントローラ１１１が演算し、時間調整を行う。
【００５４】
Ｓ１５で「インデックス画像を指定時間間隔に間引いて出力する」を選んだ場合は、Ｓ１７ヘ移り、操作キー１１２からの指示に従って、予め記録時にＴＯＣへ記録済みのインデックス画像記録間隔（図６）を参照しながら、記録したインデックス画像のアドレスのうち、必要なアドレスのみを再生コントローラ１１１が読み出すように制御される。
【００５５】
例えば、インデックス画像記録間隔の倍の時間をインデックス画像の更新間隔とする指示がなされたときは、図６に示すインデックス画像のアドレスをｉｎｄｅｘ１１→ｉｎｄｅｘ１３→ｉｎｄｅｘ１５→ｉｎｄｅｘ２１→ｉｎｄｅｘ２３→ｉｎｄｅｘ３１…と読み出す。また特殊再生時には、先に説明した通り、再生速度に合わせてインデックス画像を出力する時間の調整が必要となるため、再生コントローラ１１１が演算し、時間調整を行う。
【００５６】
次に本発明の他の実施の形態としての記憶媒体について説明する。
本発明は、ハードウェア構成で実現することもできるが、ＣＰＵとメモリからなるコンピュータシステムによる構成で実現することもできる。コンピュータシステムによる構成で実現する場合、上記メモリは本発明による記憶媒体を構成する。即ち、上記実施の形態で説明した動作を実行するためのソフトウェアのプログラムコードを記憶した記憶媒体をシステムや装置で用い、そのシステムや装置のＣＰＵが上記記憶媒体に格納されたプログラムコードを読み出し、実行することにより、本発明の目的を達成することができる。
【００５７】
また、この記憶媒体としては、ＲＯＭ、ＲＡＭ等の半導体メモリ、光ディスク、光磁気ディスク、磁気媒体等を用いてよく、これらをＣＤ−ＲＯＭ、フロッピィディスク、磁気テープ、磁気カード、不揮発性メモリカード等に構成して用いてよい。
【００５８】
従って、この記憶媒体を図１、図２に示したシステムや装置以外の他のシステムや装置で用い、そのシステムあるいはコンピュータがこの記憶媒体に格納されたプログラムコードを読み出し、実行することによっても、上記実施の形態と同等の機能を実現できると共に、同等の効果を得ることができ、本発明の目的を達成することができる。
【００５９】
また、コンピュータ上で稼働しているＯＳ等が処理の一部又は全部を行う場合、あるいは記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記実施の形態と同等の機能を実現できると共に、同等の効果を得ることができ、本発明の目的を達成することができる。
【００６０】
【発明の効果】
本発明によれば、動画像データの再生（通常再生）時又は特殊再生（高速再生）時に、使用者が画面に表示されているインデックス画像を確認することにより、現在どのシーンの動画像データが再生されているのかを容易に判別することができる。
【図面の簡単な説明】
【図１】本発明の実施の形態によるディスク記録再生装置の再生装置部を示すブロック図である。
【図２】本発明の実施の形態によるディスク記録再生装置の記録装置部を示すブロック図である。
【図３】チャプター１のデータ列をチャプターの冒頭から示した構成図である。
【図４】チャプター１のデータ列をチャプターの冒頭から示した構成図である。
【図５】再生時及び特殊再生時に出力画面としての背景画と小画面に出力するインデックス画像とを示すタイミングチャートである。
【図６】ディスクのＴＯＣへ記録するインデックス管理データを示した構成図である。
【図７】再生画面の中にインデックス画像を表示した状態を示す構成図である。
【図８】インデックス画像として出力するための画像の選択方法を示すフローチャートである。
【符号の説明】
１００  ディスク再生装置
１０１  再生処理回路
１０２  再生データメモリ
１０３  可変長符号復号化処理回路
１０４  逆量子化処理回路
１０５  逆ＤＣＴ処理回路
１０６  再生動き補償回路
１０７  出力画メモリ
１０８  モニタ
１０９  ＤＣ成分抽出回路
１１０  インデックス画メモリ
１１１  再生コントローラ
１１２  操作キー
１５０  画像入力装置
１５１  入力データメモリ
１５２  ＤＣＴ処理回路
１５３  量子化処理回路
１５４  記録動き補償回路
１５５  可変長符号化処理回路
１５６  記録データメモリ
１５７  記録処理回路
１５８  ディスク記録装置
１５９  記録コントローラ
１６０  操作キー
【図１】
0004272753.tif 000002
【図２】
0004272753.tif 000003
【図３】
0004272753.tif 000004
【図４】
0004272753.tif 000005
【図５】
0004272753.tif 000006
【図６】
0004272753.tif 000007
【図７】
0004272753.tif 000008
【図８】
0004272753.tif 000009